(57)【要約】【課題】植物パッケージを植物とその植物容器に分けて輸送することができる植物代用ユニットを提供する。【解決手段】植物パッケージ１０を植物容器１１と該植物容器１１に植えられる植物１３とに分けて輸送する際に、前記植物容器１１における植え付け空間を前記植物１３の代わりに確保する植物代用ユニット２０であって、前記植物１３に類似した形状で形成され、前記植物容器１１の予め定められた植え付け位置に植え付けられる代用部材２１を備えることを特徴とする。【選択図】      図３
2004307036.tif 000002
【特許請求の範囲】
【請求項１】
植物パッケージを植物容器と該植物容器に植えられる植物とに分けて輸送する際に、前記植物容器における植え付け空間を前記植物の代わりに確保する植物代用ユニットであって、
前記植物に類似した形状で形成され、前記植物容器の予め定められた植え付け位置に植え付けられる代用部材を備える
ことを特徴とする植物代用ユニット。
【請求項２】
前記植物パッケージは、前記植物容器に前記植物が複数植え付けられるものであり、
前記代用部材は、輸送先で植え付けるべき前記植物の識別が可能な構成になっている
ことを特徴とする請求項１に記載の植物代用ユニット。
【請求項３】
前記植物容器の開口部を塞ぐように設けられる蓋部材をさらに備え、該蓋部材の前記植え付け位置に対応した位置には、前記代用部材が貫通する貫通孔が形成されている
ことを特徴とする請求項１又は２に記載の植物代用ユニット。
【請求項４】
前記植物がワサビであり、前記植物容器が多孔質セラミックで形成されている
ことを特徴とする請求項１〜３の何れかに記載の植物代用ユニット。
【請求項５】
請求項１〜４の何れかに記載の植物代用ユニットを用いて、前記植物容器に前記植物が植え付けられる植物パッケージを輸送するための植物輸送用パックであって、
前記植物代用ユニットの代用部材が植え付けられた前記植物容器と、輸送先で前記代用部材に代わって前記植物容器に植え付けられる前記植物と、を収容する
ことを特徴とする植物輸送用パック。
【請求項６】
請求項１〜４の何れかに記載の植物代用ユニットを用いて、輸送先に前記植物パッケージを輸送する植物パッケージ輸送方法であって、
前記植物パッケージの植物容器の予め定められた植え付け位置に前記植物代用ユニットの代用部材を植え付ける工程と、
前記代用部材が植え付けられた前記植物容器と前記輸送先で前記代用部材に代わって前記植物容器に植え付けられる前記植物とを輸送ケースに収容する工程と、
前記輸送ケースを前記輸送先に輸送する工程と、
を備えることを特徴とする植物パッケージ輸送方法。
【発明の詳細な説明】
【０００１】
【発明の属する技術分野】
本発明は、植物代用ユニット、植物輸送用パック、及び、植物パッケージ輸送方法に関し、より詳細には、植物パッケージを植物容器と該植物容器に植えられる複数の植物とに分けて輸送する際に、前記植物容器における植え付け空間を前記植物の代わりに確保する植物代用ユニットと、この植物代用ユニットを用いた植物輸送用パック、及び、植物パッケージ輸送方法に関するものである。
【０００２】
【従来の技術】
植物の輸送は、通常、段ボールケース等の輸送ケース内にこれらを箱詰めした状態で行われている。しかしながら、植物をこのような状態で輸送すると、段ボールケース内が植物の呼吸による熱の発生と蒸散により蒸れを生じ、このため植物が養分の消耗により老化して鮮度を保つことができないことが知られている。
【０００３】
このような輸送中の植物の鮮度を保つために、様々な植物の輸送方法が提案されており、例えば、植物を詰めることのできる輸送用ケースの少なくとも上部部位に、内部に封入した吸水性樹脂に含水させ、かつ、予冷した状態の蓄冷シートを輪ゴム等の線状あるいは帯状のゴムを用いて貼設し、輸送することで、輸送ケース内を上部から均一の冷気で保冷し、内部の植物の鮮度を良好に保つようにしている（特許文献１）。
【０００４】
しかし、植物の輸送においては、届先への輸送中に植物パッケージが輸送容器内で雑然としてしまうという問題もあった。このような問題を解決するための植物パッケージ輸送方法としては、植物パッケージアッセンブリが花容器内に置かれた複数の花卉を有し、各花容器を、そのベースが花容器のベースに配置した係合材料で支持面に係合連結し、花容器は垂直な配向で位置決めされるようにしている（特許文献２）。
【０００５】
【特許文献１】
特開平４−１１４８８１号公報  （第３頁、第３図）
【特許文献２】
特開平８−１０４３８５号公報  （第７頁、第３図）
【０００６】
【発明が解決しようとする課題】
しかしながら、上述した特許文献２の輸送方法では、花容器に係合材料を配置する必要があるため、輸送コストが嵩んでしまいという欠点を有していた。また、花卉及び花容器を立てた状態で輸送するため、郵送中の振動によっては花卉が輸送ケースの上部内壁に当たって折れてしまう可能性があった。
【０００７】
さらに、植物が植木鉢などの植物容器に植え付けられている場合は、輸送中に植物容器に盛り付けられている土などが、輸送ケース内に散乱してしまい、輸送先で、植物を植物容器に植え付け直さなければならないという問題が生じる。しかし、植物パッケージを購入した消費者が、輸送中に雑然となったものを注文した植物パッケージに復元させることは困難であった。
【０００８】
特に、消費者が通信販売で植物パッケージを購入した場合は、カタログの写真やホームページの画像で植物パッケージを確認して購入しているため、注文した植物パッケージの状態に戻らないと、返品されたり、その後、通信販売を利用してもらえない可能性があった。
【０００９】
よって本発明は、上述した問題点に鑑み、植物パッケージを植物とその植物容器に分けて輸送することができる植物代用ユニット、植物輸送用パック、及び、植物パッケージ輸送方法を提供することを課題としている。
【００１０】
【課題を解決するための手段】
上記課題を解決するため本発明によりなされた請求項１記載の植物代用ユニットは、植物パッケージを植物容器と該植物容器に植えられる植物とに分けて輸送する際に、前記植物容器における植え付け空間を前記植物の代わりに確保する植物代用ユニットであって、前記植物に類似した形状で形成され、前記植物容器の予め定められた植え付け位置に植え付けられる代用部材を備えることを特徴とする。
【００１１】
上記請求項１に記載した本発明の植物代用ユニットによれば、植物に類似した形状で形成された代用部材は、植物容器の予め定められた植え付け位置に植え付けられ、植物容器における植え付け空間を前記植物の代わりに確保して輸送される。よって、代用部材が植物容器における植え付け空間を植物の代わりに確保していることから、植物容器と植物とを分けて輸送しても、輸送先では代用部材を引き抜き、そこに植物を植え付けるという簡単な作業で、所望の植物パッケージに復元することができる。従って、植物とその植物容器を分けて輸送することができるため、輸送中に輸送ケース内が雑然となったり、植物が折れたりという問題も解消され、従来は輸送が困難であった植物パッケージでも輸送することができる。
【００１２】
上記課題を解決するためになされた請求項２記載の発明は、請求項１に記載の植物代用ユニットにおいて、前記植物パッケージは、前記植物容器に前記植物が複数植え付けられるものであり、前記代用部材は、輸送先で植え付けるべき前記植物の識別が可能な構成になっていることを特徴とする。
【００１３】
上記請求項２に記載した本発明の植物代用ユニットによれば、代用部材は、輸送先で植え付けるべき植物の識別が可能なように形成され、対応する植物が植え付けられる植物容器の位置に植え付けられて輸送される。よって、代用部材に代わって植え付けうる植物を容易に識別することができるため、輸送先では代用部材を引き抜き、そこに植物を植え付けるという簡単な作業で、複数の植物を正確な植え付け位置に植え付けて植物パッケージを復元することができる。
【００１４】
上記課題を解決するためになされた請求項３記載の発明は、請求項１又は２に記載の植物代用ユニットにおいて、前記植物容器の開口部を塞ぐように設けられる蓋部材をさらに備え、該蓋部材の前記植え付け位置に対応した位置には、前記代用部材が貫通する貫通孔が形成されていることを特徴とする。
【００１５】
上記請求項３に記載した本発明の植物代用ユニットによれば、蓋部材は植物容器の開口部を塞ぐように設けられ、その貫通孔から代用部材が貫通される。よって、蓋部材の植え付け位置に対応した位置には、代用部材が貫通する貫通孔を設けていることから、植物容器の開口部を蓋部材で塞いだ状態で、その貫通孔から代用部材を植物容器に植え込むことで、代用部材を正確に植え付け位置に植え付けることができる。また、輸送中は該蓋部材によって植物容器の中身が外に飛び出すことを防止することができる。
【００１６】
上記課題を解決するためになされた請求項４記載の発明は、請求項１〜３の何れかに記載の植物代用ユニットにおいて、前記植物がワサビであり、前記植物容器が多孔質セラミックで形成されていることを特徴とする。
【００１７】
上記請求項４に記載した本発明の植物代用ユニットによれば、ワサビが植え付けられるべき植え付け位置に代用部材が植え付けられ、多孔質セラミックスで形成された植物容器と該植物容器に植え付けられるワサビとが分けられた状態で輸送される。よって、ワサビを植え付ける植物容器を多孔質セラミックスで形成することで、植物容器内の水が活性化されるために雑菌の発生を抑えることが可能となり、該植物容器とワサビを分けて輸送することから、ワサビを植物容器に植え付けたワサビ盆栽として提供することができ、ワサビの鮮度をある期間に渡り維持することができるため、ワサビ盆栽を鑑賞した後に食することもできる。また、植物容器に乾燥水苔を盛り付けることで、乾燥水苔の保水力と植物容器による水分の蒸発により低温状態を維持することができるため、ワサビの鮮度をより一層維持することができる。
【００１８】
上記課題を解決するため本発明によりなされた請求項５記載の植物輸送用パックは、請求項１〜４の何れかに記載の植物代用ユニットを用いて、前記植物容器に前記植物が植え付けられる植物パッケージを輸送するための植物輸送用パックであって、前記植物代用ユニットの代用部材が植え付けられた前記植物容器と、輸送先で前記代用部材に代わって前記植物容器に植え付けられる前記植物と、を収容することを特徴とする。
【００１９】
上記請求項５に記載した本発明の植物輸送用パックによれば、植物容器の予めさめられた植え付け位置に代用部材が植え付けられると、該植物容器と代用部材に代わって植物容器に植え付けられる植物とが例えば輸送ケースに収容されて植物輸送パックが形成される。よって、代用部材が植え付けられた植物容器と代用部材に代わって植え付けられる植物とを収容した植物輸送用パックにて、植物パッケージを輸送することが可能となり、かつ、輸送先では代用部材を引き抜き、そこに植物を植え付けるという簡単な作業で、所望の植物パッケージに復元することができる。従って、植物とその植物容器を分けて輸送することができるため、輸送中に輸送ケース内が雑然となったり、植物が折れたりという問題も解消され、従来は輸送が困難であった植物パッケージでも輸送することができる。
【００２０】
上記課題を解決するため本発明によりなされた請求項６記載の植物パッケージ輸送方法は、請求項１〜４の何れかに記載の植物代用ユニットを用いて、輸送先に前記植物パッケージを輸送する植物パッケージ輸送方法であって、前記植物パッケージの植物容器の予め定められた植え付け位置に前記植物代用ユニットの代用部材を植え付ける工程と、前記代用部材が植え付けられた前記植物容器と前記輸送先で前記代用部材に代わって前記植物容器に植え付けられる前記植物とを輸送ケースに収容する工程と、前記輸送ケースを前記輸送先に輸送する工程と、を備えることを特徴とする。
【００２１】
上記請求項６に記載した本発明の植物パッケージ輸送方法によれば、植物容器の予め定められた植え付け位置に代用部材が植え付けられ、該植物容器と輸送先で代用部材に代わって植物容器に植え付けられる植物とが輸送ケースに収容され、該収容ケースは輸送先に輸送される。よって、代用部材が植物容器における植え付け空間を植物の代わりに確保した状態で、植物とその植物容器とを分けて輸送ケースに収容し、該収容ケースを輸送するようにしていることから、輸送先では代用部材を引き抜き、そこに植物を植え付けるという簡単な作業で、所望の植物パッケージに復元することができる。従って、植物とその植物容器を分けて輸送することができるため、輸送中に輸送ケース内が雑然となったり、植物が折れたりという問題も解消され、従来は輸送が困難であった植物パッケージでも輸送することができる。
【００２２】
【発明の実施の形態】
以下、本発明に係る植物代用ユニットを用いた植物輸送用パック及び植物パッケージ輸送方法を、ワサビ盆栽の輸送に適用した場合の一実施の形態を、図１〜図４の図面を参照して説明する。
【００２３】
ここで、図１は本発明の輸送方法で輸送される植物パッケージの一例を示す斜視図であり、図２は植物容器に本発明の代用部材が植え付けられた状態を示す斜視図であり、図３は本発明の植物輸送用パックの断面とそこに収容される部材をを示す図であり、図４は植物パッケージの販売形態の一例を説明するための図である。
【００２４】
図１において、ワサビ盆栽（植物パッケージに相当）１０は、多孔質セラミックスにより形成されている植物容器１１と、該植物容器１１に盛り付けられる乾燥水苔１２と、植物容器１１に植え付けられる複数（例えば、３本）のワサビ（植物に相当）１３と、を有する。
【００２５】
このワサビ盆栽１０を、例えば、３日に一度、植物容器１１ごと水に漬け、植物容器１１と乾燥水苔１２に水を含ませることで、乾燥水苔１２の保水力や、植物容器１１を形成する多孔質セラミックスの孔中における水分、空気などの保持力によって低温状態を維持することができるため、栽培が困難なワサビ１０の鮮度を維持することが可能な構成となっている。
【００２６】
本実施の形態では、図２及び図３に示すように、上述したワサビ盆栽１０を通信販売で販売することを前提としており、ワサビ盆栽１０を植物容器１１と該植物容器１１に植えられる複数のワサビ１３とに分けて輸送する際に、植物容器１１における植え付け空間をワサビ１３の代わりに確保する植物代用ユニット２０を用いる。
【００２７】
植物代用ユニット２０は、ワサビ１３に類似した形状で形成され、植物容器１１の予め定められた植え付け位置に植え付けられる代用部材２１を備える。この代用部材２１は、輸送すべきワサビ１３に類似した形状となるように、紙を筒状に形成している。例えば、約１００ｍｍに栽培されたワサビ１３であれば、その根に類似した形状となるように紙筒が形成される。
【００２８】
なお、この代用部材２１は、紙筒に限定するものではなく、板状樹脂等を用いて形成したり、ワサビ１３に形状に類似した円錐又は円柱状部材を用いるなど種々異なる実施の形態とすることができるが、本実施の形態のように、紙筒とすることで、様々な形状のワサビ１３に対応した代用部材２１を容易に形成することができる。
【００２９】
代用部材２１はさらに、輸送先で植え付けるべきワサビ１３の識別が可能な構成になっている。例えば、代用部材２１の各々には、代用しているワサビ１３に付された番号、記号等の識別情報を、紙筒の壁面に付すことで、ワサビ１３と代用部材２１とを関連付けている。
【００３０】
植物代用ユニット２０は、植物容器１１の開口部１１ａを塞ぐように設けられる蓋部材２２をさらに備え、該蓋部材２２の前記植え付け位置に対応した位置には、代用部材２１が貫通する貫通孔２２ａが形成されている。そして、該貫通孔２２ａの各々の近傍に、その位置に植え付けるべきワサビ１３及び代用部材２１に付された前記識別情報を付すことで、植物容器１１に対する代用部材２１の植え付け位置が識別可能な構成となっている。
【００３１】
よって、蓋部材２２の貫通孔２２ａから、その貫通孔２２ａに対応する代用部材２１を、植物容器１１の乾燥水苔１２に埋め込ませるだけで、代用部材２１を植物容器１１の予め定められた植え付け位置に植え付けられることができる。
【００３２】
また、上述した植物代用ユニット２０を用いて、植物容器１１にワサビ１３が植え付けられるワサビ盆栽１０を輸送するための植物輸送用パックは、図３に示すように、植物代用ユニット２０の代用部材２１が植え付けられた植物容器１１と、輸送先でワサビ１３に代わって植物容器１１に植え付けられるワサビ１３と、植物容器１１の開口部１１ａを塞ぐように設けている蓋部材２２と、植物容器１１とワサビ１３との間に介在して植物容器１１とワサビ１３との間に所定の空間を形成する仕切部材３２と、を段ボール等の輸送ケースに収容している。
【００３３】
次に、注文に応じてワサビ盆栽１０を輸送するまでの概略フローの一例を、図１〜４の図面を参照して以下に説明する。
【００３４】
図４において、ワサビ盆栽販売会社（以下、販売会社という）２は、消費者１に対して通信販売用カタログ、インターネットのホームページ等によってワサビ盆栽１０の商品紹介を行う。そして、販売会社２は、消費者１からワサビ盆栽１０の注文を受けると、注文されたワサビ盆栽１０に必要なサイズ、個数のワサビ１３の納品をワサビ生産者３に指示すると共に、素材メーカ４に植物容器１１、乾燥水苔１２、植物代用ユニット２０の納品を指示する。
【００３５】
また、販売会社２には、畑で栽培された根と葉のついた状態のワサビ１３がワサビ生産者３から納品されると共に、植物容器１１、乾燥水苔１２、植物代用ユニット２０が素材メーカ４から納品される。なお、ワサビ生産者３及び素材メーカ４への納品指示については、事前に納品を指示して、販売会社２が保管しておくなど種々異なる実施の形態とすることができる。
【００３６】
販売会社２では、注文されたワサビ盆栽１０を輸送する際、まず、植物容器１１に適量の乾燥水苔１２を盛り付ける。そして、植物容器１１の開口部１１ａを塞ぐように蓋部材２２を設け、蓋部材２２の各貫通孔２２ａに付された識別情報に対応する代用部材２１を、貫通孔２２ａから植物容器１１の乾燥水苔１２に埋め込む。
【００３７】
該植物容器１１を輸送ケース３１に収容し、該植物容器１１の上方には仕切部材３２を設け、前記識別情報の付されたワサビ１３を酸素が充填される黒色プラスチックパック収容し、該パックを仕切部材３２の上に収容する。そして、輸送ケース３１に対する収容が終了して植物輸送用パック３０が完成し、該植物輸送用パック３０の輸送先を指示することで、植物輸送用パック３０は注文した消費者１に輸送される。
【００３８】
消費者１は、植物輸送用パック３０が到着すると、そこからワサビ１３と植物容器１１を取り出し、該植物容器１１の開口部１１ａを覆う蓋部材２２を取り除く。そして、図１に示す植物容器１１から任意の代用部材２１を引き抜き、その引き抜いた穴に代用部材２１に付された前記識別情報に対応するワサビ１３が植え付けられる。そして、順次同様の作業が行われることで、全てのワサビ１３が植物容器１１に植え付けられると（図１参照）、この植物容器１１ごと水に漬けられ、その後室内装飾品として飾れる。
【００３９】
以上説明したように、ワサビ１３が植え付けられるべき植え付け位置に代用部材２１が植え付けられ、多孔質セラミックスで形成された植物容器１１と該植物容器１１に植え付けられるワサビ１３とが分けられた状態で輸送ケース３１に収容されて植物輸送用パック３０が形成され、この植物輸送用パック３０が消費者１に輸送される。
【００４０】
このようにワサビ１３を植え付ける植物容器１１を多孔質セラミックスで形成することで、植物容器１１内の水が活性化されるために雑菌の発生を抑えることが可能となり、該植物容器１１とワサビ１３を分けて輸送することから、ワサビ１３を植物容器１１に植え付けたワサビ盆栽（植物パッケージ）１０として提供することができ、ワサビ１３の鮮度をある期間に渡り維持することができるため、ワサビ盆栽１０を鑑賞した後に、そのワサビ１３を食することもできる。また、植物容器１１に乾燥水苔１２を盛り付けることで、乾燥水苔１２の保水力と植物容器１１による水分の蒸発により低温状態を維持することができるため、ワサビ１３の鮮度をより一層維持することができる。
【００４１】
よって、消費者１は、輸送が困難なワサビ盆栽１０を通信販売にて購入が可能となり、代用部材２１を植物容器１１から引き抜き、そこにワサビ１３を植え付けるという簡単な作業で、注文した通りのワサビ盆栽１０を手にすることができる。そして、室内装飾品として鑑賞することで、消費者１は鑑賞することにより癒し効果を得ることができ、しかも新鮮なワサビ１３をワサビ盆栽１０から引き抜いて食することができる。従って、本発明による植物代用ユニット２０及び輸送方法を用いて、ワサビ盆栽１０を料理店や一般家庭等に広く普及させることができる。
【００４２】
また、ワサビ盆栽１０からワサビ１３を引き抜いて食した際は、例えば、代用部材２１、蓋部材２２に付され、その食したワサビ１３に対応する前記識別情報を指定して販売会社２に注文し、該注文に応じて届けられたワサビ１３を植物容器１１に植え付けることで、ワサビ盆栽１３を復元することができる。また、食するワサビ１３を植物容器１１から引き抜いた際に、対応する代用部材２１をそこに植え付けておくことで、ワサビ１３が届けられるまで植え付け空間を確保しておくことができる。
【００４３】
なお、上述した本実施の形態では、植物パッケージをワサビ盆栽１０とした場合について説明したが、本発明はこれに限定するものではなく、盆栽、植木などの様々な植物パッケージの輸送に適用することができる。
【００４４】
【発明の効果】
以上説明したように請求項１に記載した本発明の植物代用ユニットによれば、代用部材が植物容器における植え付け空間を植物の代わりに確保していることから、植物容器と植物とを分けて輸送しても、輸送先では代用部材を引き抜き、そこに植物を植え付けるという簡単な作業で、所望の植物パッケージに復元することができる。従って、植物とその植物容器を分けて輸送することができるため、輸送中に輸送ケース内が雑然となったり、植物が折れたりという問題も解消され、従来は輸送が困難であった植物パッケージでも輸送することができる。
【００４５】
請求項２に記載の発明によれば、請求項１に記載の発明の効果に加え、代用部材に代わって植え付けうる植物を容易に識別することができるため、輸送先では代用部材を引き抜き、そこに植物を植え付けるという簡単な作業で、複数の植物を正確な植え付け位置に植え付けて植物パッケージを復元することができる。
【００４６】
請求項３に記載の発明によれば、請求項１又は２に記載の発明の効果に加え、蓋部材の植え付け位置に対応した位置には、代用部材が貫通する貫通孔を設けていることから、植物容器の開口部を蓋部材で塞いだ状態で、その貫通孔から代用部材を植物容器に植え込むことで、代用部材を正確に植え付け位置に植え付けることができる。また、輸送中は該蓋部材によって植物容器の中身が外に飛び出すことを防止することができる。
【００４７】
請求項４に記載の発明によれば、請求項１〜３の何れかに記載の発明の効果に加え、ワサビを植え付ける植物容器を多孔質セラミックスで形成することで、植物容器内の水が活性化されるために雑菌の発生を抑えることが可能となり、該植物容器とワサビを分けて輸送することから、ワサビを植物容器に植え付けたワサビ盆栽として提供することができ、ワサビの鮮度をある期間に渡り維持することができるため、ワサビ盆栽を鑑賞した後に食することもできる。また、植物容器に乾燥水苔を盛り付けることで、乾燥水苔の保水力と植物容器による水分の蒸発により低温状態を維持することができるため、ワサビの鮮度をより一層維持することができる。
【００４８】
以上説明したように請求項５に記載した本発明の植物輸送用パックによれば、代用部材が植え付けられた植物容器と代用部材に代わって植え付けられる植物とを収容した植物輸送用パックにて、植物パッケージを輸送することが可能となり、かつ、輸送先では代用部材を引き抜き、そこに植物を植え付けるという簡単な作業で、所望の植物パッケージに復元することができる。従って、植物とその植物容器を分けて輸送することができるため、輸送中に輸送ケース内が雑然となったり、植物が折れたりという問題も解消され、従来は輸送が困難であった植物パッケージでも輸送することができる。
【００４９】
以上説明したように請求項６に記載した本発明の植物パッケージ輸送方法によれば、代用部材が植物容器における植え付け空間を植物の代わりに確保した状態で、植物とその植物容器とを分けて輸送ケースに収容し、該収容ケースを輸送するようにしていることから、輸送先では代用部材を引き抜き、そこに植物を植え付けるという簡単な作業で、所望の植物パッケージに復元することができる。従って、植物とその植物容器を分けて輸送することができるため、輸送中に輸送ケース内が雑然となったり、植物が折れたりという問題も解消され、従来は輸送が困難であった植物パッケージでも輸送することができる。
【図面の簡単な説明】
【図１】本発明の輸送方法で輸送される植物パッケージの一例を示す斜視図である。
【図２】植物容器に本発明の代用部材が植え付けられた状態を示す斜視図である。
【図３】本発明の植物輸送用パックの断面とそこに収容される部材をを示す図である。
【図４】植物パッケージの販売形態の一例を説明するための図である。
【符号の説明】
１０          ワサビ盆栽（植物パッケージ）
１１          植物容器
１２          乾燥水苔
１３          ワサビ（植物）
２０          植物代用ユニット
２１          代用部材
２２          蓋部材
３０          植物輸送用パック
３１          輸送ケース
【図１】
2004307036.tif 000003
【図２】
2004307036.tif 000004
【図３】
2004307036.tif 000005
【図４】
2004307036.tif 000006